(57)【要約】【課題】空気調和機においては内部に空気中に含まれる塵埃が侵入するのを防止するために、エアフィルタを設けており、エアフィルタの清掃を頻繁に行わなければならず、手間と労力を要し、エアフィルタが簡単に掃除出来る空気調和機が求められている。【解決手段】エアフィルタの形状を円盤状にし、円盤の中心を軸としてエアフィルタを回転するための駆動装置を備え、エアフィルタの前面に配設した吸い込みノズルでエアフィルタに付着した塵埃を吸引するエアフィルター装置を空気調和機に備えることで、エアフィルターの清掃作業を容易にする。【選択図】  図１
2004347251.tif 000002
【特許請求の範囲】
【請求項１】
室内熟交換器と室内送風機等を収納する筐体の前面パネルと、この前面パネルに設けた吸い込みグリルと熟交換器との間にエアフィルタを備え、前記エアフィルタを円盤状にし、エアフィルタの中心になる位置に配設された回転支持軸を回転軸として、前記エアフィルタを回転させるためのエアフィルタ駆動手段を備え、前記エアフィルタの前面にエアフィルタの半径に相当する長さを有し先端がエアフィルタの略中心に有り、他端がエアフィルタの外周に位置する吸い込み部を備え、エアフィルタに付着した塵埃を吸引するための吸い込みノズルと、前記吸い込みノズルに接続され、塵埃の捕集機能を備えた吸引装置を配設した空気調和機において、前記吸い込みノズルと、複数の吸い込み口と、前記吸い込み口からの空気流路を一体に形成したことを特徴とする空気調和機。
【請求項２】
前記吸い込み口と同数の出口を設け、前記吸い込み口と出口をそれぞれ連結する空気流路を一体に形成したことを特徴とする請求項１記載の空気調和機。
【請求項３】
複数設けた吸い込みノズルの出口部に相対する位置にあり、複数設けたノズルの出口部のひとつあるいは複数を順次開閉する開閉装置を備えたことを特徴とする請求項２記載の空気調和機。
【請求項４】
前記吸い込みノズルの出口部の開閉手段として、円筒状で円筒の側壁にスリットを有し、円筒が回転することによリスリットと吸い込みノズルの出口部を合致させ、複数設けた吸い込みノズルの出口部のひとつあるいは複数を順次開閉する開閉装置を備えたことを特徴とする請求項３記載の空気調和機。
【請求項５】
前記円筒を回転する手段として、前記円筒と一体に歯車を設け、前記エアフィルタに設けた突起がエアフィルタが一回転する毎に、前記円筒の歯車を−定角度回転する構成としたことを特徴とする請求項４記載の空気調和機。
【請求項６】
複数個設けた前記吸い込みノズルの吸い込み口の前記円盤状のエアフィルタの径方向に対応する長さを、前記エアフィルタの中心部に近い吸い込み口より、中心部から遠い吸い込み口の方を短くしたことを特徴とする請求項１記載の空気調和機。
【発明の詳細な説明】
【０００１】
【発明の属する技術分野】
本発明は、空気吸入口にエアフィルタを備えた空気調和機に関するものである。
【０００２】
【従来の技術】
従来の空気調和機は図６に示すように、空気を熟交換器９により熟交換を行うが、吸入された空気に含まれる塵埃が空気調和機内部に入り込むのを防止するためエアフィルタ５を設けており、このエアフィルタ５は付着した塵埃を定期的に漬掃する時の便宜を図るため着脱出来るよう構成されている。
【０００３】
一方、エアフィルターの清掃が容易な空気調和機のエアフィルタ装置として、も知られている。
【０００４】
【特許文献１】
実開昭６３−１１１９１７号公報
【０００５】
【発明が解決しようとする課題】
しかしながら、公知技術のエアフィルタは、空気調和機の使用頻度に応じて空気調和機よりエアフィルタを取り外し、水洗いもしくは掃除機などで付着した塵埃を掃除するという定期的なメンテナンスを要する。特に天井に埋め込まれたタイプにおいては非常な手間と労力を必要とする。また、定期的にメンテナンスが成されなかった場合、エアフィルタに塵埃が堆積し吸込み空気の通気抵抗が増大するため空気調和機の性能が低下、消責電力が増大するという課題があった。
【０００６】
また、吸引ノズルに空気を循環させる物であって吸引ノズルが長くなると、場所により循環する空気の量がばらつき、塵埃の吸引効果がフィルタ位置によりばらつくという課題を有する。
【０００７】
【課題を解決するための手段】
請求項１記載の発明は、吸い込みノズルと、複数の吸い込み口空気流路を一体に形成したことを特徴とする。
【０００８】
この発明によれば、吸引ノズルの長さが長くなると、ノズルの先端部分と手前では吸引される空気の量が異なるが、複数の吸い込み口を設け、吸引される空気の流路を複数設けることにより空気の吸引量を吸い込み口の場所に関係なく均−にすることが出来る。
【０００９】
請求項２記載の発明は、請求項１の発明において、吸い込みノズルと複数の吸い込み口と、吸い込み口と同数の出口を設け、吸い込み口と出口をそれぞれ連結する空気流路を一体に形成したことを特徴とする。
【００１０】
この発明によれば、出口も複数設けることにより、吸引時に抵抗を低減する事ができる。
【００１１】
請求項３記載の発明は、請求項２の発明において、複数設けた吸引ノズルの出口をひとつ又は複数を順次開閉させることを特徴とする。
【００１２】
この発明によれば、請求項１の発明により、吸引ノズルの長さに拘わらず空気の吸引量を均−にすることが出来るが、吸引ノズルが長くなると、それぞれの空気流路の空気循環量が不足し、吸引装置の吸引能力を大きくする必要があるが、吸引口を順次開閉させることにより吸引装置の能力を上げずに吸引力を確保することが出来る。
【００１３】
請求項４記載の発明は、請求項３の発明において、側壁にスリットを有する円筒を、吸引ノズルの出口に配し、その円筒を回転することにより、吸引ノズルの出口を順次開閉出来ることを特徴とする。
【００１４】
この発明によれば、吸い込み口の開閉を非常に簡単でコンパクトに構成することが出来る。
【００１５】
請求項５記載の発明は、請求項４の発明において、吸引ノズルの出口の円筒状開閉装置の回転手段として、円筒と−体に歯車を形成し、エアフィルタに設けた突起によりエアフィルタが一回転する毎に、円筒の歯車を一定角度回転させ、吸い込みノズルの出口を順次開閉する構造としたことを特徴とする。
【００１６】
この発明によれば、円筒を回転さすための新たな駆動モータを必要とせず、非常に簡単でコンパクトな構成にすることが出来る。
【００１７】
請求項６記載の発明は、請求項１記載の発明において、複数設けた吸い込みノズルの吸い込み口の大きさを変化させ、且つ、その大きさを吸い込みノズルの先端部分にある吸い込み口よりエアフィルタの外周に近いものの方が小さくなっていることを特徴とする。
【００１８】
この発明によれば、回転するエアフィルタのスピードはエアフィルタの中心から外周に向かうに従って周速度が早くなるため、吸い込み口の大きさが同じであると、外周部においては吸い取るエアフィルタの面積が大きくなり、相対的に吸い込み能力が中心部に比べて少なくなる。これを防止するため、エアフィルタの径方向の長さに対応する吸い込み口の長さをエアフィルタの外周に近いほど短くすることにより、どの吸い込み口でも同じ吸い込み面積になるように設定することが出来る。
【００１９】
【発明の実施の形態】
以下に、本発明の吸い込みノズルの空気流路を３つ設けた場合の実施の形態について図面を参照しながら説明する。
【００２０】
図１は本発明の実施の形態における天井埋込型の空気調和機の断面図、図２、は吸引ノズルの分解斜視図、図３は吸引ノズル部の断面図（図１のＩの
拡大図）、図４、図５は図３のＡ−Ａ断面図である。
【００２１】
空気は空気調和機の内部に配設したファン１０により、前面グリル１に設けた吸い込みグリル６、エアフィルタ５、エアガイダー４を通過し、熟交換器９で熟交換され、吹き出し口１７に吹き出される。この間、空気に混在する塵埃はエアフィルタ５に付着し空気調和機の内部に塵埃が付着しない構造となっている。
【００２２】
円盤状のエアフィルタ５は、エアフィルタ５の中心を軸とし、回転自在に取り付けられておりモータ１５により回転する構造となっている。
【００２３】
吸引ノズル１２は、吸い込み部１２ｄ、１２ｅ、１２ｆと出口部１２ｇ、１２ｈ、１２ｉを有し、その間をそれぞれ空気の流通路１２ａ、１２ｂ、１２ｃにより連通し吸引ユニット１３に回転自在に嵌めこまれている（図２では分割して表示しているが、吸い込み部１２ｄ、１２ｅ、１２ｆの部分は空気流路１２ａ、１２ｂ、１２ｃの部分と接合にて一体形成される）。吸い込みノズル１２はエアフィルタ５の半径にほぼ等しい長さであり、先端がエアフィルタ５の略中心に有り、他端がエアフィルタ５の外周に位置する。
【００２４】
吸引ユニット１３には、吸引のためのファンと吸引した塵埃を捕集するためのユニット（図示せず）を備え、吸引ファンを動作させることにより、エアフィルタ５に付着した塵埃は吸引ノズル１２の吸い込み部１２ｄ、１２ｅ、１２ｆで吸引され、流路１２ａ、１２ｂ、１２ｃ、出口部１２ｇ、１２ｈ、１２ｉ吸引ノズル１２と吸引ユニット１３を接続するために構成した円筒接続部１２ｊ、吸引ユニット１３への接続口１２ｋを通過し集塵ユニットに至る。
【００２５】
吸引ノズルの円筒形の接続部１２ｊには、側壁にスリット１８ａ、１８ｂ、１８ｃ、１８ｄを有する円筒１８が配置されている。この円筒形１８には、歯車１９がネジ２０により固定されており、エアフィルタ５に設けた突起５ａにより歯車１９を回転さすことにより円筒１８に設けたスリット１８ａの位置を−定角度移動することが出来る。
【００２６】
上記の構成により空気の流れは以下のようになる。図２、４、５を用いて説明する。
【００２７】
開閉装置の円筒状のスリット１８ａが吸引ノズル１２の出口部１２ｇに合致している状態の時、吸引ユニット１３を動作させることにより、空気はエアフィルタ５に付着した塵埃を吸引し、吸引ノズル１２の吸引口１２ｄより吸い込まれ流路１２ａを通り、出口部１２ｇに達し、スリット１８ａ、接続部１２ｊ、開口部１２ｋを順次通過し、吸引ユニット１３に至り、空気と一緒にエアフィルタ５に付着した塵埃を集塵ユニットに集塵することが出来る。
【００２８】
この時吸い込みノズルの出口部１２ｈ、１２ｊは円筒１８で閉じられており、吸い込み口１２ｅ、１２ｆからは空気は吸い込まれない。次にエアフィルタ５が−回転し、エアフィルタ５の突起５ａが歯車１９を回転させ、円筒１８のスリット１８ａの位置は図４の位置から図５の位置に移動し、出口部１２ｇを閉じ、出口部１２ｈを開く。これにより吸引部１２ｅから空気が吸い込まれるようになり、吸引部１２ｅの前方にあるエアフィルタ５に付着した塵埃が吸引される。
【００２９】
さらにエアフィルタ５が一回転するとスリット１８ａが出口部１２ｉを開き、更に一回転するとスリット１８ｄが出口部１２ｇを開き、順次出口１２ｈ、１２ｉを開閉する。これにより吸引口は１２ｄ、１２ｅ、１２ｆと順次切り換えられ、吸引口前方のエアフィルタ５に付着した塵埃が順次吸い込まれる。
【００３０】
又、吸い込み口１２ｄ、１２ｅ、１２ｆの長手方向の長さは１２ｄ＜１２ｅ＜１２ｆの関係になっており、エアフィルタ５の外周に近い方の吸い込み口の方を小さく設定している。これは、吸引口の長手方向の長さが同じであれば、吸引能力は同じであるが、エアフィルタ５が円盤状であり回転することにより、外周部ではエアフィルタ５の周速度が速くなり吸引口１２ｄ、１２ｅ、１２ｆが吸引するエアフィルタ５の面積は外周に近い吸引口の方が大きくなるため、中心部分と外周部分では吸引能力に差を付けないと、吸引ムラを発生し、塵挨の集塵効率が外周に近くなるに従って悪くなる。
【００３１】
これを防止するために、外周ほど吸い込み口の長手方向の長さを短くし、集塵する面積を出来るだけ同じにしようとするものである。
【００３２】
【発明の効果】
以上のように、本発明の空気調和機において、吸引ノズルの吸引口を複数設けることにより。簡単な構成でエアフィルタに付着した塵埃を容易に取り除くことが出来、空気調和機の性能低下防止にも寄与できる。
【図面の簡単な説明】
【図１】本発明の実施例を示す空気調和機の断面図
【図２】本発明の実施例を示す吸引ノズル分解斜視図
【図３】本発明の実施例を示す空気調和機の吸引ノズルの断面図（図１一Ｉの拡大図）
【図４】本発明の実施例を示す空気調和機の断面図（図３−Ａの断面図）
【図５】本発明の実施例を示す空気調和機の断面図（図３−Ａの断面図）
【図６】従来例を示す空気調和機の断面図
【符号の説明】
１    前面グリル
２    風向変更羽根
３    ドレンパン
４    エアガイダー
５    エアフィルター
５ａ  突起
６    吸い込みグリル
７    筐体
８    断熱材
９    熟交換器
１０  ファン
１１  ファンモータ
１２  吸引ノズル
１２ａ  流路
１２ｂ  流路
１２ｃ  流路
１２ｄ  吸引口
１２ｅ  吸引口
１２ｆ  吸引口
１２ｇ  出口部
１２ｈ  出口部
１２ｉ  出口部
１２ｊ  接続部
１２ｋ  吹き出し口
１３  吸引ユニット
１４  歯車
１５  モータ
１６  ネジ
１７  吹き出し口
１８  円筒
１８ａ  スリット
１８ｂ  スリット
１８Ｃ  スリット
１８ｄ  スリット
１９  歯車
２０  ネジ
【図１】
2004347251.tif 000003
【図２】
2004347251.tif 000004
【図３】
2004347251.tif 000005
【図４】
2004347251.tif 000006
【図５】
2004347251.tif 000007
【図６】
2004347251.tif 000008